(57)【要約】【課題】  比較的低コストかつコンパクトな装置サイズでバリスターの発火時に迅速に消火を行える電源装置を得る。【解決手段】  この電源装置は、バリスター１と、バリスター１が配置された基板２と、消火剤が封入され所定温度で溶融する消火管３と、消火管３を基板２に対して固定する支持部材４とを備える。そして、支持部材４は、消火管３から見て鉛直方向にバリスター１が位置するように消火管３を配置する。【選択図】  図２
2019205487.tif 000002
【特許請求の範囲】
【請求項１】
バリスターと、
前記バリスターが配置された基板と、
消火剤が封入され所定温度で溶融する消火管と、
前記消火管を前記基板に対して固定する支持部材とを備え、
前記支持部材は、前記消火管から見て鉛直方向に前記バリスターが位置するように前記消火管を配置すること、
を特徴とする電源装置。
【請求項２】
前記消火管は、前記基板が略水平に配置される場合、前記バリスターの上方に配置されることを特徴とする請求項１記載の電源装置。
【請求項３】
前記バリスターは、前記基板の下面上に配置され、
前記基板は、貫通孔を備え、
前記貫通孔は、前記バリスターの上方に、かつ前記消火管の下方に配置されること、
を特徴とする請求項２記載の電源装置。
【請求項４】
前記消火管は、前記基板が略垂直に配置される場合、前記基板上の前記バリスターの設置位置の隣りに、前記支持部材で固定されることを特徴とする請求項１記載の電源装置。
【発明の詳細な説明】
【技術分野】
【０００１】
本発明は、電源装置に関するものである。
【背景技術】
【０００２】
ある空気調和器では、電気部品箱の内側側面にプリント配線基板が配置され、プリント配線基板とは別に、電気部品箱の内側天井面に消火剤容器が配置されており、プリント配線基板が発火した場合、その発火により消火剤容器の表面温度が上昇し、消火剤容器が融け、消火剤容器に封入されている消火剤が下方に飛散し、発火部位が消火されるようになっている（例えば特許文献１参照）。
【先行技術文献】
【特許文献】
【０００３】
【特許文献１】実公平７−３３０５６号公報
【発明の概要】
【発明が解決しようとする課題】
【０００４】
しかしながら、上述の空気調和器では、プリント配線基板とは別の位置に消火剤容器が配置されているため、基板上の特定の素子が発火した場合、その素子から消火剤容器までの距離が長いため、その素子が発火してから消火剤容器が融け出すまでに時間が掛かり、消火が遅延してしまう可能性があるとともに、その素子から消火剤容器までの距離が長く広範囲に消火剤を飛散させているため、有効に消火剤をその素子に散布するためには、大量の消火剤が必要になり、コストや装置のサイズが大きくなってしまう。
【０００５】
商用交流電源から供給される電力を直流電力として出力する電源装置では、商用交流電源から侵入する外来ノイズを抑制するために、セラミックバリスターなどといったバリスターが設けられており、バリスターによって不適切な電源電圧の上昇が抑制される。しかしながら、商用交流電源の電圧異常などでバリスターの許容電圧を超える電圧がバリスターに印加されると、バリスターの温度が上昇し、発火する可能性がある。このような電源装置におけるバリスターに対して、上述の空気調和器のような消火剤容器を設けても、上述のように、バリスターの発火から消火剤容器が融け出すまでに時間が掛かり、消火が遅延してしまう可能性がある。
【０００６】
本発明は、上記の問題に鑑みてなされたものであり、比較的低コストかつコンパクトな装置サイズでバリスターの発火時に迅速に消火を行える電源装置を得ることを目的とする。
【課題を解決するための手段】
【０００７】
本発明に係る電源装置は、バリスターと、前記バリスターが配置された基板と、消火剤が封入され所定温度で溶融する消火管と、前記消火管を前記基板に対して固定する支持部材とを備える。そして、前記支持部材は、前記消火管から見て鉛直方向に前記バリスターが位置するように前記消火管を配置する。
【発明の効果】
【０００８】
本発明によれば、比較的低コストかつコンパクトな装置サイズでバリスターの発火時に迅速に消火を行える電源装置が得られる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る電源装置の構成を示す回路図である。
【図２】図２は、実施の形態１におけるバリスター１および消火管の配置について説明する斜視図である。
【図３】図３は、実施の形態２におけるバリスター１および消火管の配置について説明する斜視図である。
【図４】図４は、実施の形態３におけるバリスター１および消火管の配置について説明する斜視図である。
【発明を実施するための形態】
【００１１】
以下、図に基づいて本発明の実施の形態を説明する。
【００１２】
実施の形態１．
【００１３】
図１は、本発明の実施の形態に係る電源装置の構成を示す回路図である。図１に示す電源装置は、例えば電子機器（プリンター、複合機など）に内蔵され、商用交流電源から供給される電力を直流の内部電源電力として電子機器の内部デバイスに供給する。
【００１４】
図１に示す電源装置は、一次側において、ヒューズＦＳ、チョークコイルＬＣ、ダイオードブリッジＤＢなどの他に、バリスター１を備え、二次側のレギュレーター回路によって定電圧で直流電源電力を出力する。上述のようにバリスター１は、商用交流電源からのノイズに起因するサージなどの電圧上昇を抑制している。
【００１５】
さらに、図１に示す電源装置は、バリスター１が配置された基板と、バリスター１の発火時に消火するための消火剤が封入され所定温度で溶融する消火管と、消火管を前記基板に対して固定する支持部材とを備える。そして、その支持部材は、消火管から見て鉛直方向にバリスター１が位置するように消火管を配置する。
【００１６】
図２は、実施の形態１におけるバリスター１および消火管の配置について説明する斜視図である。
【００１７】
例えば図２に示すように、実施の形態１では、バリスター１は、例えば電子機器などにおいて略水平に配置される基板２に配置され、消火管３は、支持部材４によって、バリスター１の上方に配置される。なお、消火管３は、バリスター１に接触していても接触していなくてもよい。
【００１８】
基板２には、バリスター１の他、図１に示す電気回路の一部（例えば一次側回路）が実装されている。消火管３は、例えば融点が摂氏３００度程度のポリアミド樹脂を筒状に成形したものであり、その内部に消火剤が封入された後、両端を樹脂や金属片で封止されている。消火剤には、例えば、炭酸水素塩、リン酸塩類などを主成分とする粉末状の消火剤が使用される。
【００１９】
支持部材４は、消火管３より高い融点の材質（例えば金属）で構成されており、バリスター１を所定位置に配置するための形状を有する。支持部材４とバリスター１（の端部）とは、接着剤、半田付け、ねじ止めなどで互いに固定されており、支持部材４と基板２とは、接着剤、半田付け、ねじ止めなどで互いに固定されている。
【００２０】
例えば、消火管３の外形状を、既存のガラス製ヒューズ管と同様とし、支持部材４は、ガラス製ヒューズ管の支持部材と同様の構造で、基板２に対して消火管３を固定するようにしてもよい。
【００２１】
図２に示す場合、消火管３は、円筒形状を有し、Ｌ字形の２つの支持部材４によって、消火管３の各端部が基板２に対して固定されている。
【００２２】
次に、実施の形態１に係る電源装置の動作について説明する。
【００２３】
通常、電源装置は、商用交流電源の電圧異常を図示せぬ検出回路で検出すると、動作を停止し、バリスター１などを含む電気回路を保護するが、予期せぬ商用交流電源の電圧異常によってバリスター１に許容電圧を超える電圧が印加されると、可能性は非常に低いが、上述のようにバリスター１が発火する可能性がある。
【００２４】
バリスター１が発火すると、バリスター１の上方に近接して配置されている消火管３の温度がただちに上昇し、所定温度（消火管３の材質の融点）を超えると消火管３が融解し、消火管３に封入されていた消火剤が自然落下しバリスター１に噴霧され、消火される。
【００２５】
以上のように、上記実施の形態１に係る電源装置は、バリスター１と、バリスターが１配置された基板２と、消火剤が封入され所定温度で溶融する消火管３と、消火管３を基板２に対して固定する支持部材４とを備える。そして、支持部材４は、消火管３から見て鉛直方向にバリスター１が位置するように消火管３を配置する。
【００２６】
これにより、比較的低コストかつコンパクトな装置サイズでバリスター１の発火時に迅速に消火を行える。
【００２７】
また、バリスター１が発火しても、基板２の範囲内で消火されるため、基板２を含むユニットを交換するだけで当該電源装置や上述の電子機器など再利用することができる。
【００２８】
実施の形態２．
【００２９】
図３は、実施の形態２におけるバリスター１および消火管３の配置について説明する斜視図である。例えば図３に示すように、実施の形態２では、バリスター１は、例えば電子機器などにおいて略垂直に配置される基板２に配置され、消火管３は、基板２上のバリスター１の設置位置の隣りに、支持部材４で固定されている。このようにして、支持部材４は、消火管３から見て鉛直方向にバリスター１が位置するように消火管３を配置している。
【００３０】
なお、実施の形態２に係る電源装置のその他の構成および動作については実施の形態１と同様であるので、その説明を省略する。
【００３１】
実施の形態３．
【００３２】
図４は、実施の形態３におけるバリスター１および消火管の配置について説明する斜視図である。例えば図４に示すように、実施の形態３では、バリスター１は、例えば電子機器などにおいて略水平に配置される基板２の下面上に配置される。実施の形態３では、基板２は、貫通孔２ａを備える。この貫通孔２ａは、バリスター１の上方に、かつ、消火管３の下方に配置される。つまり、消火管３が融解した場合、消火剤は消火管３から貫通孔２ａを通ってバリスター１に噴霧される。なお、図４に示す貫通孔２ａの形状は円形であるが、四角形状などでもよい。
【００３３】
なお、実施の形態３に係る電源装置のその他の構成および動作については実施の形態１と同様であるので、その説明を省略する。
【００３４】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００３５】
本発明は、例えば、商用交流電源から電源電力を供給される電子機器に適用可能である。
【符号の説明】
【００３６】
１  バリスター
２  基板
２ａ  貫通孔
３  消火管
４  支持部材
【図１】
2019205487.tif 000003
【図２】
2019205487.tif 000004
【図３】
2019205487.tif 000005
【図４】
2019205487.tif 000006